(57)【特許請求の範囲】
【請求項１】
放物線信号を発生する放物線信号発生部と、
黒レベルの電圧に映像が載せられた映像入力信号と画面の明るさを調整するための輝度調整電圧を入力として、前記黒レベルの電圧が上記輝度調整電圧に調整された第１映像出力信号を出力する第１映像出力信号発生部と、
前記第１映像出力信号と上記放物線信号を入力として、前記第１映像出力信号に前記放物線信号が加えられた第２映像出力信号を出力する信号合成部とを含み、
前記放物線信号発生部は、
のこぎり波を発生するのこぎり波発生器と、
こののこぎり波発生器の出力端に接続されて前記のこぎり波を反転させ、反転されたのこぎり波を出力する第１インバ−タと、
前記のこぎり波と前記反転されたのこぎり波を入力として前記のこぎり波と前記反転されたのこぎり波を掛けて、上側へ膨れた放物線信号を出力する掛け算器と、
この掛け算器の出力端に接続されて前記上側へ膨れた放物線信号を反転させることにより、下側へ膨れた放物線信号を出力する第２インバ−タと
を含む、
ことを特徴とするモニタの画面輝度調整部。
【請求項２】
前記のこぎり波発生器は、
前記放物線信号の放物線利得を調整するための制御信号が入力されることを特徴とする請求項１に記載のモニタの画面輝度調整部。
【請求項３】
前記のこぎり波発生器は、
前記のこぎり波の同期を調整するための制御信号が入力されることを特徴とする請求項１に記載のモニタの画面輝度調整部。
【発明の詳細な説明】
【０００１】
【発明の属する技術分野】
本発明はモニタに係り、特に画面の曲率に応じて画面の明るさが異なる現象を改善するためのモニタの画面輝度調整部に関する。
【０００２】
【従来の技術】
映像信号は画面の明るさ、即ち輝度を現す一定の直流電圧である黒レベル電圧に載せられ、電子銃を通じて画面に走査される。
この際、前記画面の明るさは使用者に応じて異なる程度が要求されるので、使用者はマイクロコンピュ−タを用いて輝度を調整できる。
輝度調整は画面全体の明るさを調整することであって、輝度をあまり明るい状態に調整すると、画面で白黒に現れるべき部分が灰色に現れ、灰色に現れるべき部分が白色に現れる。逆に、あまり暗く調整すると、白色は灰色に現れ、灰色は黒色に現れることになって画面が非正常になる。
【０００３】
図１は従来の技術によるモニタの画面輝度調整部を示すブロック図である。
図１を参照すると、前記輝度調整部１は増幅部２、比較部３、クランプキャパシタ４、及びスイッチング手段５を含む。
前記増幅部２は、映像が黒レベル電圧に載せられた映像入力信号Vin がプラス入力端に入力され、マイナス入力端には前記クランプキャパシタ４が接続され、これら２つの入力端の電圧差程度に増幅された映像出力信号Voutを出力する。
【０００４】
前記比較部３は、前記映像出力信号Voutと、モニタ画面の明るさを調整するための輝度調整電圧Ｂを入力として、前記映像出力信号Voutの黒レベル電圧と前記輝度調整電圧Ｂとを比較する。
前記スイッチング手段５は前記比較部３の出力端と前記増幅部２のマイナス入力端間に接続されて、前記映像出力信号Voutの帰線期間の間スイッチングオンして、前記クランプキャパシタ４を充電又は放電させることにより、前記増幅部２のマイナス入力端電圧を変化させる。
【０００５】
前記輝度調整部１を前記の通り形成する理由は、前記映像出力信号Voutが画面に水平走査される間には映像が黒レベル電圧に載せられることになり、帰線期間には黒レベル電圧だけを持つからである。
【０００６】
前記モニタの画面輝度調整部1 の動作状態を説明すると次の通りである。
前記スイッチング手段５がスイッチングオンになると、前記比較部３では前記映像出力信号Voutの黒レベル電圧と前記輝度調整電圧Ｂとを比較して、前記映像出力信号Voutの黒レベル電圧が前記輝度調整電圧Ｂより大きければ、前記クランプキャパシタ４に貯蔵されたチャ−ジが、前記比較部３から出力された電流により前記増幅部２に放電される。従って、前記クランプキャパシタ４の電圧は低くなり前記増幅部２のマイナス入力端の電圧は高くなり、その結果、前記映像出力信号Voutの黒レベル電圧は低くなり、その映像出力信号Voutは更に前記比較部３に入力され、映像出力信号Voutの黒レベル電圧が前記輝度調整電圧Ｂと同じくなるまで前記の動作を反復する。
【０００７】
逆に、前記映像出力信号Voutの黒レベル電圧が前記輝度調整電圧Ｂより小さくなると、前記クランプキャパシタ４は前記比較部３から出力された電流により充電されて前記クランプキャパシタ４の電圧は高くなり、前記増幅部２のマイナス入力端の電圧は低くなる。その結果、前記映像出力信号Voutの黒レベル電圧は高くなり、その映像出力信号Voutは再び前記比較部３に入力され、映像出力信号Voutの黒レベル電圧が前記輝度調整電圧Ｂと同じくなるまで前記の動作が反復される。
従って、使用者は前記輝度調整電圧Ｂを調整することにより、画面の明るさを所望のレベルにできる。
【０００８】
図２は受像管の概略図である。
図２を参照すると、電子銃２１は映像出力信号Voutを入力として電子ビ−ムを作り、この電子ビ−ムの強度を調節することにより、画面２２に映像を再現する。
前記画面２２の表面は平面に近い曲面であるから、全走査期間の間前記電子銃２１から前記画面２２までの距離が一定でない。例えば、前記画面２２の中心部と前記電子銃２１との距離ｄは前記画面２２の縁部と前記電子銃２１との距離（ｄ＋△ｄ）より小さい。
【０００９】
【発明が解決しようとする課題】
図３は前記図２に図示された映像出力信号Voutを示す特性図である。
図３を参照すると、前記映像出力信号Voutは一定な振幅の黒レベル電圧を出力する。
前記のような映像出力信号Voutが図２の電子銃２１を通じて画面２２に走査されると、画面２２の縁部及び中心部と前記電子銃２１との距離、即ち走査距離が違って前記映像出力信号Voutが水平へ走査される時、前記画面２２の縁部に走査された黒レベル電圧は前記画面２２の中心部に走査された黒レベル電圧より小さく現れる。
従って、前記画面２２の縁部は中心部より暗く見える問題点が発生する。
【００１０】
本発明の目的は画面の縁部が暗く見える現象を改善するためのモニタの画面輝度調整部を提供することにある。
【００１１】
【課題を解決するための手段】
前記課題を解決するために本発明は、放物線信号を発生する放物線信号発生部と、黒レベルの電圧に映像が載せられた映像入力信号と画面の明るさを調整するための輝度調整電圧を入力として、前記黒レベルの電圧が前記輝度調整電圧に調整された第１映像出力信号を出力する第１映像出力信号発生部と、前記第１映像出力信号と前記放物線信号を入力として、前記第１映像出力信号に前記放物線信号が加えられた第２映像出力信号を出力する信号合成部とを含むことを特徴とするモニタの画面輝度調整部とする。
【００１２】
前記放物線信号発生部は、のこぎり波を発生するのこぎり波発生器と、こののこぎり波発生器の出力端に接続されて前記のこぎり波を反転させ、反転されたのこぎり波を出力する第１インバ−タと、前記のこぎり波と前記反転されたのこぎり波を入力として前記のこぎり波と前記反転されたのこぎり波を掛けて上側へ膨れた放物線信号を出力する掛け算器と、この掛け算器の出力端に接続されて前記上側へ膨れた放物線信号を反転させることにより、下側へ膨れた放物線信号を出力する第２インバ−タとを含むことが望ましい。
【００１３】
更に、前記のこぎり波発生器は、前記放物線信号の放物線利得を調整するための制御信号と、前記のこぎり波の同期を調整するための制御信号が入力されることが望ましい。
【００１４】
従って、本発明によるモニタの画面輝度調整部は、画面の縁部に走査されるときの黒レベル電圧を画面の中心部に走査されるときの黒レベル電圧より大きくすることにより、画面全体の明るさが一定になる。
【００１５】
【発明の実施の形態】
以下、添付した図面に基づき本発明の実施の形態を詳細に説明する。
図４は本発明によるモニタの画面輝度調整部の実施の形態を示すブロック図である。
図４を参照すると、輝度調整部１０１は、映像が黒レベル電圧に載せられた映像入力信号Vin を入力として前記黒レベル電圧が輝度調整電圧Ｂに調整された第１映像出力信号Vout１を出力する第１映像出力信号発生部１０６と、放物線信号Ｐを発生する放物線信号発生部１０７と、前記第１映像出力信号Vout１と前記放物線信号Ｐが加えられた第２映像出力信号Vout２を出力する信号合成部１０８とを含む。
【００１６】
前記第１映像出力信号発生部１０６は増幅部１０２、比較部１０３、クランプキャパシタ１０４、及びスイッチング手段１０５を含む。
前記増幅部１０２は、映像が黒レベル電圧に載せられた映像入力信号Vin がプラス入力端に入力され、マイナス入力端にはクランプキャパシタ１０４が接続され、これら２つの入力端の電圧差程度に増幅された第１映像出力信号Vout１を出力する。
前記比較部１０３は、前記第１映像出力信号Vout１と、モニタ画面の明るさを調整するための輝度調整電圧Ｂを入力として、前記第１映像出力信号Vout１と前記輝度調整電圧Ｂとを比較し、その差に相当する電流を出力する。
前記スイッチング手段１０５は前記比較部１０３の出力端と前記増幅部１０２のマイナス入力端間に接続されて、前記第２映像出力信号Vout２の帰線期間にのみスイッチングオンされるものであって、前記クランプキャパシタ１０４を充電又は放電させることにより、前記増幅部１０２のマイナス入力端電圧を変化させる。
【００１７】
前記放物線信号発生部１０７は下側へ膨れた放物線信号Ｐを発生する。これは、第２映像出力信号Vout２が画面へ走査される時、前記第２映像出力信号Vout２の黒レベル電圧が走査位置、即ち画面の縁部と中心部に応じて異なるようにするためである。
前記信号合成部１０８は前記第１映像出力信号Vout１と前記放物線信号Ｐを足す加算器である。
【００１８】
以上のようなモニタの画面輝度調整部１０１の動作状態を説明すると、次の通りである。
スイッチング手段１０５がスイッチングオンされると、比較部１０３では第１映像出力信号Vout１の黒レベル電圧と輝度調整電圧Ｂとを比較する。
そして、第１映像出力信号Vout１の黒レベル電圧が輝度調整電圧Ｂより大きい場合は、クランプキャパシタ１０４のチャ−ジが、前記比較部１０３から出力された電流により増幅部１０２へ放電される。従って、前記クランプキャパシタ１０４の電圧は低くなって前記増幅部１０２のマイナス入力端の電圧は大きくなり、その結果、第１映像出力信号Vout１の黒レベル電圧は低くなり、その第１映像出力信号Vout１は更に前記比較部１０３に入力され、第１映像出力信号Vout１の黒レベル電圧が前記輝度調整電圧Ｂと同じくなる時まで前記の動作が反復される。
【００１９】
逆に、前記第１映像出力信号Vout１の黒レベル電圧が前記輝度調整電圧Ｂより小さいときは、前記クランプキャパシタ１０４が前記比較部１０３から出力された電流により充電される。従って、前記クランプキャパシタ１０４の電圧は高くなり、前記増幅部１０２のマイナス入力端の電圧は低くなり、その結果、第１映像出力信号Vout１の黒レベル電圧は高くなり、その第１映像出力信号Vout１は更に前記比較部１０３に入力され、第１映像出力信号Vout１の黒レベル電圧が前記輝度調整電圧Ｂと同じくなる時まで前記の動作が反復される。
【００２０】
従って、第１映像出力信号発生部１０６は黒レベル電圧が前記輝度調整電圧Ｂに調整された第１映像出力信号Vout１を出力し、信号合成部１０８は前記第１映像出力信号Vout１と放物線信号Ｐが加えられた第２映像出力信号Vout２を出力する。
この際、第２映像出力信号Vout２の黒レベル電圧は、画面の縁部に走査されるときの値が画面の中心部に走査されるときの値より大きい。その結果、画面中心部及び縁部と電子銃との距離が互いに違って、画面の中心部と縁部における輝度が相異することを補償できる。
【００２１】
図５は前記放物線信号発生部１０７の具体的回路図である。
図５を参照すると、前記放物線信号発生部１０７はのこぎり波発生器１２１と、第１及び第２インバ−タ１２２，１２４と、掛け算器１２３とを含み、放物線信号Ｐを出力する。
前記のこぎり波発生器１２１は、第１及び２制御信号Ｃ１，Ｃ２を入力としてのこぎり波を発生する。前記第１及び第２制御信号Ｃ１，Ｃ２は、モニタの画面大きさ及び曲率に応じて変化する信号であって、前記第１制御信号Ｃ１は放物線利得、即ち放物線信号Ｐの膨らみ程度を調整するための信号で、第２映像出力信号（図４のVout２）が画面に走査される時黒レベル電圧の補償程度を調整する役割をする。
第２制御信号Ｃ２は前記のこぎり波の同期を調整するためのものである。
【００２２】
前記第１インバ−タ１２２は、前記のこぎり波発生器１２１から出力されたのこぎり波を反転させ、反転されたのこぎり波を出力する。
前記掛け算器１２３は、前記のこぎり波発生器１２１から出力されたのこぎり波と前記第１インバ−タ１２２から出力された反転されたのこぎり波を入力として、前記のこぎり波と前記反転のこぎり波を掛けることにより、上側へ膨れた放物線信号を出力する。
前記第２インバ−タ１２４は、前記掛け算器１２３の出力端に接続され、前記上側へ膨れた放物線信号を反転させることにより、下側へ膨れた放物線信号Ｐを出力する。
【００２３】
図６は図４に図示された第２映像出力信号Vout２を示す特性図である。
図６を参照すると、水平走査期間の間に前記第２映像出力信号Vout２の黒レベル電圧は異なる。
即ち、第２映像出力信号Vout２は、画面の縁部に走査されるときの黒レベル電圧が画面の中心部に走査されるときの黒レベル電圧より大きい。
従って、電子銃との距離が中心部に比して相対的に大きい縁部に走査された第２映像出力信号Vout２の黒レベル電圧は、前記電子銃との距離が縁部に比して相対的に小さい中心部に走査された第２映像出力信号Vout２の黒レベル電圧と同じに現れ、その結果前記画面全体の明るさは一定になる。
【００２４】
なお、本発明は以上に限らず、多くの変形が本発明の技術的な思想内で当分野に通常の知識を持つ者により可能なのは明白である。
【００２５】
【発明の効果】
以上詳述したように、本発明によるモニタの画面輝度調整部では、画面の縁部に走査されたときの黒レベル電圧を画面の中心部に走査されたときの黒レベル電圧より高くすることにより、画面全体の明るさを一定にすることができる。
【図面の簡単な説明】
【図１】従来の技術に係るモニタの画面輝度調整部を示すブロック図。
【図２】受像管の概略図。
【図３】前記図２に図示された映像出力信号を示す特性図。
【図４】本発明によるモニタの画面輝度調整部の実施の形態を示すブロック図。
【図５】放物線信号発生部の具体的回路図。
【図６】前記図４に図示された第２映像出力信号を示す特性図。
【符号の説明】
１０１  画面輝度調整部
１０６  第１映像出力信号発生部
１０７  放物線信号発生部
１０８  信号合成部
Ｂ  輝度調整電圧
Ｐ  放物線信号
Ｖｉｎ  映像入力信号
Ｖｏｕｔ１  第１映像出力信号
Ｖｏｕｔ２  第２映像出力信号
【図１】
0004074712.tif 000002
【図２】
0004074712.tif 000003
【図３】
0004074712.tif 000004
【図４】
0004074712.tif 000005
【図５】
0004074712.tif 000006
【図６】
0004074712.tif 000007